(57)【特許請求の範囲】
【請求項１】
Ｘ線発生装置と、
Ｘ線検出期間の間に前記Ｘ線発生装置から放出されたＸ線を感知して前記Ｘ線に対応する電気的信号を出力するフォトダイオード及び前記フォトダイオードに接続されて電気的信号を伝達するスイッチング素子を含む光感知ピクセルと、
オフセット調整期間のうち第１フラッシュ期間の間に前記フォトダイオードに光を提供する光発生シートと、
前記Ｘ線検出期間のうち第１ゲートオン期間の間に前記スイッチング素子をオンさせて前記電気的信号を当該スイッチング素子の出力端子から出力させるための第１ゲートオン信号及び前記オフセット調整期間のうち前記第１フラッシュ期間を除いた第２ゲートオン期間の間に前記スイッチング素子をオンさせる第２ゲートオン信号を含むゲート信号を前記スイッチング素子に出力するゲートドライバと、
オンした前記スイッチング素子の出力端子から出力される信号を読み出すリードアウト回路と、
を含み、
前記Ｘ線検出期間は、前記Ｘ線発生装置からＸ線が放射される期間と当該Ｘ線が放射される期間の後の前記第１ゲートオン期間とを含み、
前記オフセット調整期間は、前記Ｘ線検出期間の後に前記電気的信号を初期化するための信号除去期間の後かつ次の前記Ｘ線検出期間の前の期間であって、複数の前記第１フラッシュ期間と複数の前記第２ゲートオン期間とを含み、
前記リードアウト回路は、前記第１ゲートオン期間の間に前記スイッチング素子の出力端子から出力された前記信号を受信し、
前記第１フラッシュ期間と前記第２ゲートオン期間とは、前記オフセット調整期間の間に互いに異なる時間に交互に発生し、
前記第１フラッシュ期間は、前記フォトダイオードを飽和させるために十分な時間幅を有することを特徴とするＸ線検出器。
【請求項２】
前記光発生シートは、前記電気的信号を初期化させる前記信号除去期間のうち第２フラッシュ期間の間に前記フォトダイオードに光を提供し、
前記ゲート信号は、前記信号除去期間のうち第３ゲートオン期間の間に前記スイッチング素子をオンさせるための第３ゲートオン信号をさらに含むことを特徴とする請求項１に記載のＸ線検出器。
【請求項３】
前記複数の第１フラッシュ期間の個数は、前記Ｘ線検出期間と前記信号除去期間と前記オフセット調整期間とを含むフレーム毎に可変であり、
前記複数の第２ゲートオン期間の個数は、前記フレーム毎に可変であることを特徴とする請求項２に記載のＸ線検出器。
【請求項４】
前記スイッチング素子は、前記ゲートドライバから前記ゲート信号を受信するトランジスタからなり、
前記ゲート信号は、前記複数の第１フラッシュ期間及び第２フラッシュ期間の間はゲートオフ電圧を維持し、
前記ゲート信号は、前記第１ゲートオン期間、前記複数の第２ゲートオン期間及び前記第３ゲートオン期間の間はゲートオン電圧を維持することを特徴とする請求項３に記載のＸ線検出器。
【請求項５】
前記複数の第１フラッシュ期間の時間幅は、それぞれ同一であることを特徴とする請求項４に記載のＸ線検出器。
【請求項６】
前記複数の第１フラッシュ期間の時間幅は、それぞれ互いに異なることを特徴とする請求項４に記載のＸ線検出器。
【請求項７】
前記複数の第１フラッシュ期間の個数は、前記Ｘ線検出期間と前記信号除去期間と前記オフセット調整期間とを含むフレーム毎に可変であり、
前記複数の第２ゲートオン期間の個数は、前記フレーム毎に可変であることを特徴とする請求項１に記載のＸ線検出器。
【請求項８】
前記スイッチング素子は、前記ゲートドライバから前記ゲート信号を受信するトランジスタからなり、
前記ゲート信号は、前記複数の第１フラッシュ期間及び第２フラッシュ期間の間はゲートオフ電圧を維持し、
前記ゲート信号は、前記第１ゲートオン期間及び前記複数の第２ゲートオン期間の間はゲートオン電圧を維持することを特徴とする請求項７に記載のＸ線検出器。
【請求項９】
前記複数の第１フラッシュ期間の時間幅は、それぞれ同一であることを特徴とする請求項８に記載のＸ線検出器。
【請求項１０】
前記複数の第１フラッシュ期間の時間幅は、それぞれ互いに異なることを特徴とする請求項８に記載のＸ線検出器。
【発明の詳細な説明】
【技術分野】
【０００１】
本発明は、Ｘ線検出器の駆動方法及びこれを利用したＸ線検出器に関し、さらに詳しくは、オフセット電圧の偏差によるＸ線イメージの歪曲を防止することができるＸ線検出器の駆動方法及びこれを利用したＸ線検出器に関する。
【背景技術】
【０００２】
Ｘ線検出器は、例えば、医療診断装置に使用されており、Ｘ線発生装置によって撮影された被写体のＸ線イメージを検出してディスプレイ装置に提供する。
【０００３】
現在、Ｘ線検出器には、フィルムを使用しないデジタル放射線（ＤＲ：Ｄｉｇｉｔａｌ  Ｒａｄｉｏｇｒａｐｈｙ）方式を利用するフラットパネル（ｆｌａｔ  ｐａｎｅｌ）デジタル放射線（ＤＲ）方式が広く利用されている。前記方式を利用するフラットパネルＸ線検出器は、フラットパネル内にＸ線を感知するための多数の光感知ピクセルを具備する。各光感知ピクセルは、Ｘ線発生装置から発生したＸ線を感知して電気的信号を出力するフォトダイオードとフォトダイオードから出力された電気的信号を伝達するスイッチング素子とによって構成される。
【０００４】
フラットパネルの外側には、前記電気的信号をフラットパネルから読み出すためのリードアウト集積回路が光感知ピクセルから行単位で電気的信号を読み出すことができるように、行単位でスイッチング素子をオンさせるゲートドライバが具備される。リードアウト集積回路から出力された電気的信号は、マザーボードに具備されたコントローラで信号処理過程を経た後、映像信号に変換され、Ｘ線画像を表示するためのディスプレイ装置に伝送される。
【０００５】
一般的に、Ｘ線が提供されない状態で、フォトダイオードとスイッチング素子とが接続されているノードの電位は、フォトダイオードのオフセット電圧によって次第に変化する。特に、Ｘ線発生装置からＸ線が入力される周期が一定ではないので、フォトダイオードが動作する時点が一定でなくなり、その結果、前記ノードでのオフセット電圧は、Ｘ線が提供されない時間によって異なる値を有する。
【０００６】
このように、前記ノードのオフセット電圧が一定ではない状態でＸ線が提供されると、フォトダイオードから出力された電気的信号にオフセット電圧が加えられ、スイッチング素子がオンされるときに出力される。しかし、前記のように測定時点によってオフセット電圧が一定ではないと、スイッチング素子から出力された信号からオフセット電圧を感知して、オフセット電圧を取り除き電気的信号を抽出するオフセット補正を行うことが難しいだけでなく、その結果、ディスプレイ装置には、測定時点によるオフセット電圧の偏差によって歪曲されたＸ線イメージが表示されるおそれがある。
【発明の開示】
【発明が解決しようとする課題】
【０００７】
本発明は、上述の問題点に鑑みてなされたもので、その目的は、オフセット電圧の偏差によるＸ線イメージの歪曲を防止するＸ線検出器の駆動方法を提供することにある。
【０００８】
本発明の他の目的は、前記駆動方法を利用するＸ線検出器を提供することにある。
【課題を解決するための手段】
【０００９】
本発明によるＸ線検出器は、Ｘ線発生装置から放出されたＸ線を感知し、感知したＸ線に対応する電気的信号を出力するフォトダイオード及びフォトダイオードに接続されて電気的信号を伝達するスイッチング素子を含む多数の光感知ピクセルを具備する。このようなＸ線検出器を駆動する方法において、Ｘ線発生装置からＸ線を受信してＸ線に対応する電気的信号を生成するＸ線検出期間が提供される。
【００１０】
二つのＸ線検出期間の間でフォトダイオードに反復的に光を供給し、光の供給が中断した期間でスイッチング素子をオンさせ、スイッチング素子のオン期間の最終地点でフォトダイオードとスイッチング素子との接続ノードの電位を一定の値に維持するオフセット調整期間が提供される。
【００１１】
本発明によるＸ線検出器は、多数の光感知ピクセル、光発生シート、ゲートドライバ及びリードアウト集積回路を含む。
【００１２】
各光感知ピクセルは、Ｘ線検出期間の間Ｘ線発生装置から放出されたＸ線を感知してＸ線に対応する電気的信号を出力するフォトダイオード及びフォトダイオードに接続されて電気的信号をスイッチングするスイッチング素子を含む。光発生シートは、オフセット調整期間の間に反復的に現れるフォトダイオードに光を供給するためのフラッシュ期間の間にフォトダイオードに光を提供する。
【００１３】
ゲートドライバは、Ｘ線検出期間の間にスイッチング素子をオンさせるためのゲート信号（第１ゲートオン信号）を提供し、オフセット調整期間中に光の供給が中断した期間で光感知ピクセルのスイッチング素子をオンさせるためのゲート信号（第２ゲートオン信号）を提供する。リードアウト集積回路は、オンされたスイッチング素子の出力端子から出力される信号を読み出す。
【発明の効果】
【００１４】
本発明の実施形態によるＸ線検出器の駆動方法及びこれを利用したＸ線検出器によると、光感知ピクセルのスイッチング素子をオンしてＸ線に対応する電気的信号を出力するＸ線検出期間と二つのＸ線検出期間との間のオフセット調整期間とが提供される。Ｘ線検出期間は、光感知ピクセルのスイッチング素子をオンさせるためのゲート信号を伝達する第１ゲートオン期間を含み、オフセット調整期間は、フォトダイオードに光を供給するフラッシュ期間及び光の供給が中断された期間で光感知ピクセルのスイッチング素子をオンさせるためのゲート信号を伝達する第２ゲートオン期間を含む。従って、ゲートオン期間の最終地点でフォトダイオードとスイッチング素子との接続ノードの電位は、いつも一定の値に維持されることができ、その結果、オフセット偏差によるＸ線イメージの歪曲を防止することができる。
【発明を実施するための最良の形態】
【００１５】
以下、本発明の好ましい実施形態を、図面に基づき詳細に説明する。図１は、本発明の一実施形態によるＸ線システムを示す図である。図１を参照すると、Ｘ線システム２００は、患者５０の所定領域５１（すなわち、検査しようとする領域）に向けてＸ線２１１を発生するＸ線発生装置２１０、患者５０の所定領域５１を通過したＸ線２１１を感知するＸ線検出器１００、及びＸ線検出装置１００によって感知されたＸ線２１１に対応する映像信号を受信して映像を表示するディスプレイ装置２２０を含む。
【００１６】
本発明の一実施形態として、患者５０のイメージを表示するＸ線システム２００を図示した。しかし、Ｘ線システム２００は、Ｘ線画像を要求する製品に適用されることができるということは当業者にとって自明である。
【００１７】
このようなＸ線システム２００からＸ線２１１が患者５０の所定領域５１に照射されると、Ｘ線検出器１００のフラットパネル１１０及び患者５０の間に提供されたシンチレータ１７０は、患者５０を通過したＸ線２１１をグリーン光に変換し、フラットパネル１１０にグリーン光を供給する。
【００１８】
Ｘ線検出器１００については図２で詳細に説明する。Ｘ線検出器１００は、患者５０を通過したＸ線２１１に対応する映像信号を取得し、取得した映像信号をディスプレイ装置２２０に提供する。従って、ディスプレイ装置２２０は、映像信号に対応するＸ線画像をリアルタイムで表示してもよい。本発明の一実施形態として、ディスプレイ装置２２０は、液晶表示装置（ＬＣＤ：ｌｉｑｕｉｄ  ｃｒｙｓｔａｌ  ｄｉｓｐｌａｙ）などによって構成されてもよい。
【００１９】
図２は、図１に示すＸ線検出器の回路図である。図２を参照すると、Ｘ線検出器１００は、Ｘ線発生装置２１０から放出されたＸ線を感知し、感知した信号を光電変換して電気的信号として出力する多数の光感知ピクセルＰＰが具備されたフラットパネル１１０を具備する。
【００２０】
フラットパネル１１０には、互いに行方向に延長された多数のゲートラインＧＬ１、ＧＬ２、ＧＬ３、…及び互いに列方向に延長された多数のデータラインＤＬ１、ＤＬ２、ＤＬ３、…が具備され、多数のゲートラインＧＬ１、ＧＬ２、ＧＬ３、…と多数のデータラインＤＬ１、ＤＬ２、ＤＬ３、…とによって、フラットパネル１１０にはマトリックス形状に多数の領域が形成される。
【００２１】
多数の領域各々には光感知ピクセルＰＰが具備され、光感知ピクセルＰＰ各々は、フォトダイオードＰＤ及びトランジスタＴｒによって構成される。フォトダイオードＰＤは、Ｘ線発生装置２１０から放出されたＸ線を感知し、感知したＸ線を電気的信号に変換して出力する。
【００２２】
フォトダイオードＰＤは、トランジスタＴｒの入力電極に接続される第１電極と、バイアス電圧（Ｖｂｉａｓ）が印加されるバイアスラインＢＬに接続される第２電極と、を含む。本発明の一実施形態として、バイアス電圧は、−５Ｖないし−１０Ｖの電圧レベルを有し、フォトダイオードの逆方向のバイアス状態を維持する。
【００２３】
一方、トランジスタＴｒの制御電極は、対応するゲートラインを介してゲートドライバ１２０と電気的に接続され、トランジスタＴｒの出力電極は、対応するデータラインを介してリードアウト集積回路１３０と電気的に接続される。ここで、フォトダイオードＰＤの第１電極とトランジスタＴｒの入力電極が接続されたノードを接続ノードＮ１として定義する。
【００２４】
ゲートドライバ１２０は、ゲート信号を生成して多数のゲートラインＧＬ１、ＧＬ２、ＧＬ３、…に順次に印加する。ゲート信号は電圧信号であり、トランジスタＴｒをオンさせることができるゲートオン電圧とトランジスタＴｒをオフさせることができるゲートオフ電圧との間でスイングする。本発明の一実施形態として、ゲートオン電圧は１５Ｖの電圧レベルを有し、ゲートオフ電圧は−１０Ｖの電圧レベルを有してもよい。
【００２５】
ゲート信号が印加されたゲートラインＧＬに接続された光感知ピクセルＰＰのトランジスタＴｒがオンされると、その結果、フォトダイオードＰＤから出力された電気的信号がオンしたトランジスタＴｒを介して対応するデータラインに印加される。従って、データラインは、トランジスタＴｒから出力された電気的信号をリードアウト集積回路１３０に伝送することができる。すなわち、ゲート信号によって光感知ピクセルＰＰが行単位でオンされるので、電気的信号は、行単位でリードアウト集積回路１３０に伝送されてもよい。
【００２６】
リードアウト集積回路１３０は、多数のデータラインＤＬ１、ＤＬ２、ＤＬ３、…に一対一対応によって接続された多数の増幅器１３１ａ、１３１ｂ、１３１ｃ、…及び多数の増幅器１３１ａ、１３１ｂ、１３１ｃ、…の出力端子に接続されたマルチプレクサ１３２を含む。各増幅器は、ＯＰＡＭＰ（Ｏｐｅｒａｔｉｏｎａｌ  Ａｍｐｌｉｆｉｅｒ）であってもよい。
【００２７】
具体的に、各増幅器１３１ａ、１３１ｂ、１３１ｃ、…のネガティブ入力端子（−）には、対応するデータラインが接続されて光感知ピクセルＰＰから出力された電気的信号が提供され、ポジティブ入力端子（＋）には、レファレンス電圧が印加される。また、各増幅器１３１ａ、１３１ｂ、１３１ｃ、…のネガティブ入力端子（−）と出力端子との間にはキャパシタＣ１、Ｃ２、Ｃ３が接続される。
【００２８】
マルチプレクサ１３２の入力端子は、多数の増幅器１３１ａ、１３１ｂ、１３１ｃ、…の出力端子に一対一対応によって接続され、多数の増幅器１３１ａ、１３１ｂ、１３１ｃ、…から出力された信号を受信する。
【００２９】
図示してはいないが、マルチプレクサ１３２から出力された信号（ＯＵＴ）は、Ｘ線検出器１００のマザーボード上に具備された制御回路（図示せず）に印加され、制御回路内のアナログ−デジタルコンバータ（図示せず）によってデジタル信号に変換される。変換されたデジタル信号は、Ｘ線検出器１００に連結されたディスプレイ装置２２０の映像信号として伝送される。従って、ディスプレイ装置２２０は、Ｘ線検出器１００から供給された映像信号に対応するＸ線画像を画面上に表示することができる。
【００３０】
図３の（ａ）は、図２に図示されたフォトダイオードに提供されるＸ線を示す波形図である。図３の（ｂ）は、図２に図示されたゲートラインに印加されるゲート信号を示す波形図である。図３の（ｃ）は、光発生シートから提供される光を示す波形図である。図３の（ｄ）は、図２に図示された接続ノードＮ１の電位を示す波形図である。
【００３１】
図３を参照すると、Ｘ線検出器１００（図２参照）の駆動周期は、Ｘ線検出期間ＰＩ、信号除去期間ＰＥ及びオフセット調整期間ＰＯを含む。Ｘ線検出期間ＰＩは、Ｘ線発生装置からＸ線を受信してＸ線に対応する電気的信号を生成する期間として定義される。
【００３２】
具体的に、第１時点ｔ０でＸ線が発生すると、フォトダイオードＰＤ（図１参照）に順方向のバイアスが印加され、フォトダイオードＰＤとトランジスタＴｒとが接続された接続ノードＮ１の電位は、第１電圧ＶＡ１から次第に下降する。ここで、第１電圧ＶＡ１は接続ノードＮ１の初期電圧である。接続ノードＮ１の電位は、Ｘ線が中断される第２時点ｔ１で第２電圧ＶＡ２まで下降する。その後、第３時点ｔ２でトランジスタの制御電極に印加されるゲート信号がゲートオフ電圧Ｖｏｆｆからゲートオン電圧Ｖｏｎに転換する。従って、ゲート信号がゲートオン電圧Ｖｏｎを維持するｔ２からｔ３までの第１ゲートオン期間の間、ゲートオン電圧Ｖｏｎに応じてトランジスタＴｒがオンされ、その結果、接続ノードＮ１の電位は、第１電圧ＶＡ１まで次第に上昇し始める。その後、ゲート信号がまたゲートオフ電圧Ｖｏｆｆに転換する第４時点ｔ３では、トランジスタＴｒがオフされ、接続ノードＮ１の電位は、第１電圧ＶＡ１より低い第３電圧ＶＡ３に下降する。第４時点ｔ３からトランジスタＴｒがオフ状態に維持されるので、接続ノードＮ１の電位は第３電圧ＶＡ３に維持される。従って、Ｘ線検出期間ＰＩは、第１時点ｔ０から第４時点ｔ３までと定義されることができる。
【００３３】
一方、信号除去期間ＰＥは、Ｘ線検出期間ＰＩの間に接続ノードＮ１に充電した電位を初期状態に戻すために完全に除去して以前信号と次の信号とが混合しないようにするための期間である。
【００３４】
具体的に、信号除去期間ＰＥは、光発生シート１１５（図１参照）がフォトダイオードＰＤを飽和（ｓａｔｕｒａｔｉｏｎ）させることができる程度の大きさを有する光を発生する第５時点ｔ４から始まる。ここで、光発生シート１１５は、無機発光体から成るシートであり、Ｘ線検出器１００のフラットパネル１１０に光を第２フラッシュ期間ＦＥの間提供する。その結果、フォトダイオードＰＤに順方向のバイアスが印加され、接続ノードＮ１の電位は光の供給が中断される第６時点ｔ５まで下降し、第４電圧ＶＡ４に到逹する。接続ノードＮ１の電位は第７時点ｔ６まで第４電圧ＶＡ４に維持される。その後、第７時点ｔ６でゲート信号がゲートオン電圧Ｖｏｎに転換すると、ｔ６からｔ７までの第３ゲートオン期間の間にトランジスタＴｒがオンされる。第３ゲートオン期間の間に接続ノードＮ１の電位は、第１電圧ＶＡ１まで上昇する。従って、接続ノードＮ１で以前の信号が完全に除去され、その結果、接続ノードＮ１の電位を初期状態に戻すことができる。これによって、信号除去期間ＰＥは、第５時点ｔ４から第８時点ｔ７までと定義される。
【００３５】
オフセット調整期間ＰＯは、信号除去期間ＰＥの後に発生する。具体的に、オフセット調整期間ＰＯは、光発生シートから光が出力される第１フラッシュ期間ＦＯ及びトランジスタＴｒをオンさせるためのゲート信号が出力される第２ゲートオン期間ＧＯを含む。すなわち、オフセット調整期間ＰＯの第１フラッシュ期間ＦＯは、光によってフォトダイオードＰＤが飽和する程度の時間の間維持され、第１フラッシュ期間ＦＯの後には、ゲート信号がゲートオン電圧Ｖｏｎに転換する第２ゲートオン期間ＧＯが発生する。
【００３６】
オフセット調整期間ＰＯの間に、第１フラッシュ期間ＦＯと第２ゲートオン期間ＧＯとは複数回繰り返して現れてもよい。本発明の一実施形態として、オフセット調整期間ＰＯ内で反復的に現れる第１フラッシュ期間ＦＯは、互いに同一の時間幅ｄｔを有してもよい。本発明のまた他の実施形態として、オフセット調整期間ＰＯの間に発生する第１フラッシュ期間ＦＯと第２ゲートオン期間ＧＯの回数は、フレーム別にランダムに可変されてもよい。
【００３７】
第１フラッシュ期間ＦＯが始まる第９時点ｔ８から接続ノードＮ１の電位は次第に下降し、第１フラッシュ期間ＦＯが終了する第１０時点ｔ９で第４電圧ＶＡ４まで下降する。その後、ゲート信号がゲートオン電圧Ｖｏｎに転換する第１１時点ｔ１０で第２ゲートオン期間ＧＯが始まり、接続ノードＮ１の電位は、第２ゲートオン期間ＧＯの間に次第に上昇して第２ゲートオン期間ＧＯが終了する第１２時点ｔ１１で第１電圧ＶＡ１まで到逹する。
【００３８】
このように、第１フラッシュ期間ＦＯと第２ゲートオン期間ＧＯが反復的に現れることによって、第２ゲートオン期間ＧＯが終了する時点で接続ノードＮ１の電位はいつも一定に第１電圧ＶＡ１に維持されることができる。
【００３９】
このようなオフセット調整期間ＰＯは、光学的閃光が発生する第９時点ｔ８から次のＸ線が発生する時点ｔ０までと定義される。前記のようなオフセット調整期間ＰＯによって、次のＸ線が発生する時点ｔ０で接続ノードＮ１の電位はいつも一定に第１電圧ＶＡ１に維持されることができる。
【００４０】
図４の（ａ）は、図２に図示されたフォトダイオードに提供されるＸ線を示す波形図である。図４の（ｂ）は、図２に図示されたゲートラインに印加されるゲート信号を示す波形図である。図４の（ｃ）は、本発明の他の実施形態による光発生シートから提供される光を示す波形図である。図４の（ｄ）は、図２に図示された接続ノードＮ１の電位を示す波形図である。
【００４１】
図４（ａ）ないし図４（ｄ）を参照すると、Ｘ線検出器１００（図２参照）の駆動周期は、Ｘ線検出期間ＰＩ、信号除去期間ＰＥ及びオフセット調整期間ＰＯを含む。
【００４２】
オフセット調整期間ＰＯは、信号除去期間ＰＥの後に発生する。具体的に、オフセット調整期間ＰＯは、光発生シート１１５（図１参照）から光が出力される第１フラッシュ期間ＦＯ及びトランジスタＴｒをオンさせるためのゲート信号が出力される第２ゲートオン期間ＧＯを含む。第２ゲートオン期間ＧＯは、ゲート信号がゲートオン電圧Ｖｏｎに転換する期間であり、第１フラッシュ期間ＦＯの後に発生する。
【００４３】
オフセット調整期間ＰＯの間に、第１フラッシュ期間ＦＯと第２ゲートオン期間ＧＯとは複数回繰り返して現れる。本発明の一実施形態として、オフセット調整期間ＰＯ内で反復的に現れる第１フラッシュ期間ＦＯは、互いに異なる時間幅ｄｔ１、ｄｔ２、ｄｔ３、…を有する。ただし、各第１フラッシュ期間ＦＯは、光によってフォトダイオードＰＤが飽和する時間以上に維持されることができる。
【００４４】
第１フラッシュ期間ＦＯが始まる第９時点ｔ８から接続ノードＮ１の電位は次第に下降し、第１フラッシュ期間ＦＯがすでに終了している第１０時点ｔ９に到達する前に第４電圧ＶＡ４まで下降している。その後、ゲート信号がゲートオン電圧Ｖｏｎに転換する第１１時点ｔ１０で第２ゲートオン期間ＧＯが始まり、接続ノードＮ１の電位は第２ゲートオン期間ＧＯの間次第に上昇して第２ゲートオン期間ＧＯが終了する第１２時点ｔ１１で第１電圧ＶＡ１まで到逹する。
【００４５】
このように、第１フラッシュ期間ＦＯと第２ゲートオン期間ＧＯとが反復的に現れることによって、第２ゲートオン期間ＧＯが終了する時点で接続ノードＮ１の電位は、第１電圧ＶＡ１に維持される。
【００４６】
このようなオフセット調整期間ＰＯは、光学的閃光が発生する第９時点ｔ８から次のＸ線が発生する時点ｔ０までと定義される。前記のようなオフセット調整期間ＰＯによって、次のＸ線が発生する時点ｔ０で接続ノードＮ１の電位は、いつも一定に第１電圧ＶＡ１に維持されることができる。
【００４７】
従って、Ｘ線発生装置２１０からＸ線が不規則的な間隔で提供されても、接続ノードＮ１の電位はいつも一定の値を維持しているので、接続ノードＮ１でのオフセット偏差によってＸ線イメージが歪曲される現象を防止することができる。
【図面の簡単な説明】
【００４８】
【図１】本発明の一実施形態によるＸ線システムを示す図である。
【図２】図１に図示されたＸ線検出器の回路図である。
【図３】（ａ）は図２に図示されたフォトダイオードに提供されるＸ線を示す波形図である。（ｂ）は図２に図示されたゲートラインに印加されるゲート信号を示す波形図である。（ｃ）は光発生シートから提供される光を示す波形図である。（ｄ）は図２に図示された接続ノートＮ１の電位を示す波形図である。
【図４】（ａ）は図２に図示されたフォトダイオードに提供されるＸ線を示す波形図である。（ｂ）は図２に図示されたゲートラインに印加されるゲート信号を示す波形図である。（ｃ）は本発明の他実施の形態による光発生シートから提供される光を示す波形図である。（ｄ）は図２に図示された接続ノートＮ１の電位を示す波形図である。
【符号の説明】
【００４９】
１００  Ｘ線検出器
１１０  フラットパネル
１２０  ゲートドライバ
１３０  リードアウト集積回路
１３１ａ、１３１ｂ、１３１ｃ  多数の増幅器
１３２  マルチプレクサ
【図１】
0005506179.tif 000002
【図２】
0005506179.tif 000003
【図３】
0005506179.tif 000004
【図４】
0005506179.tif 000005